【手続補正書】
【提出日】平成23年6月14日(2011.6.14)
【手続補正１】
【補正対象書類名】特許請求の範囲
【補正対象項目名】全文
【補正方法】変更
【補正の内容】
【特許請求の範囲】
【請求項１】
少なくとも１つのストリームを含むメインストリームと、前記メインストリームとは異なるサブストリームの再生を制御するための再生管理情報を取得する取得手段と、
前記取得手段により取得された前記再生管理情報を基に、再生される前記メインストリームおよび前記サブストリームを読み出す読み出し手段と、
前記取得手段により取得された前記再生管理情報を基に、前記読み出し手段により読み出された前記メインストリームの映像と、前記サブストリームの映像とを合成する映像合成手段と
を備え、
前記再生管理情報は、前記メインストリームの映像と合成される前記サブストリームの映像の表示位置、大きさ、および透明度に関する情報を含む表示状態に関する情報を含む、前記メインストリーム、前記サブストリームが含まれるファイルとは異なるファイルであり、
前記映像合成手段は、前記再生管理情報に含まれる前記表示状態に関する情報を基に、前記透明度に関する情報が、前記サブストリームの映像に透過処理を施すことを示している場合、前記大きさに関する情報に応じた大きさに調整された前記サブストリームの映像に対して、前記透明度に関する情報に応じた前記透過処理を施すとともに、前記透過処理を施すことにより得られた前記サブストリームの映像を、前記メインストリームの映像上の前記表示位置に関する情報に応じた位置に配置して、前記メインストリームの映像と、前記サブストリームの映像とを合成する
再生装置。
【請求項２】
メインストリームおよびサブストリームを再生する再生装置の再生方法において、
少なくとも１つのストリームを含むメインストリームと、前記メインストリームとは異なるサブストリームの再生を制御するための再生管理情報であって、前記メインストリーム、前記サブストリームが含まれるファイルとは異なるファイルである前記再生管理情報を読み出し、
読み出された前記再生管理情報を基に、再生される前記メインストリームおよび前記サブストリームを読み出し、
前記再生管理情報に含まれる、前記メインストリームの映像と合成される前記サブストリームの映像の表示位置、大きさ、および透明度に関する情報を含む表示状態に関する情報を基に、前記透明度に関する情報が、前記サブストリームの映像に透過処理を施すことを示している場合、前記大きさに関する情報に応じた大きさに調整された前記サブストリームの映像に対して、前記透明度に関する情報に応じた前記透過処理を施すとともに、前記透過処理を施すことにより得られた前記サブストリームの映像を、前記メインストリームの映像上の前記表示位置に関する情報に応じた位置に配置して、読み出された前記メインストリームの映像と、前記サブストリームの映像とを合成する
ステップを含む再生方法。
【請求項３】
メインストリームおよびサブストリームを再生する処理をコンピュータに実行させるためのプログラムであって、
少なくとも１つのストリームを含むメインストリームと、前記メインストリームとは異なるサブストリームの再生を制御するための再生管理情報であって、前記メインストリーム、前記サブストリームが含まれるファイルとは異なるファイルである前記再生管理情報を読み出し、
読み出された前記再生管理情報を基に、再生される前記メインストリームおよび前記サブストリームを読み出し、
前記再生管理情報に含まれる、前記メインストリームの映像と合成される前記サブストリームの映像の表示位置、大きさ、および透明度に関する情報を含む表示状態に関する情報を基に、前記透明度に関する情報が、前記サブストリームの映像に透過処理を施すことを示している場合、前記大きさに関する情報に応じた大きさに調整された前記サブストリームの映像に対して、前記透明度に関する情報に応じた前記透過処理を施すとともに、前記透過処理を施すことにより得られた前記サブストリームの映像を、前記メインストリームの映像上の前記表示位置に関する情報に応じた位置に配置して、読み出された前記メインストリームの映像と、前記サブストリームの映像とを合成する
ステップを含む処理をコンピュータに実行させるプログラム。
【請求項４】
請求項３に記載のプログラムが記録されているプログラム格納媒体。
【請求項５】
少なくとも１つのストリームを含むメインストリームの再生を管理する情報である再生管理情報を含むデータ構造であって、
前記再生管理情報には、
前記メインストリームの時間軸上の再生位置を示す主の再生位置情報と、
前記メインストリームとは異なるサブストリームの再生位置を示す副の再生位置情報と、
前記メインストリームの映像と合成される前記サブストリームの映像の表示位置、大きさ、および透明度に関する情報を含む表示状態に関する情報と
が含まれているデータ構造であって、
前記データ構造を取得した再生装置により、前記再生管理情報に含まれる前記表示状態に関する情報を基に、前記透明度に関する情報が、前記サブストリームの映像に透過処理を施すことを示している場合、前記大きさに関する情報に応じた大きさに調整された前記サブストリームの映像に対して、前記透明度に関する情報に応じた前記透過処理を施すとともに、前記透過処理を施すことにより得られた前記サブストリームの映像を、前記メインストリームの映像上の前記表示位置に関する情報に応じた位置に配置して、前記メインストリームの映像と、前記サブストリームの映像とを合成される処理に用いられる
データ構造。
【請求項６】
少なくとも１つのストリームを含むメインストリームの再生を管理する情報である再生管理情報を含むデータ構造が記録される記録媒体であって、
前記再生管理情報には、
前記メインストリームの時間軸上の再生位置を示す主の再生位置情報と、
前記メインストリームとは異なるサブストリームの再生位置を示す副の再生位置情報と、
前記メインストリームの映像と合成される前記サブストリームの映像の表示位置、大きさ、および透明度に関する情報を含む表示状態に関する情報と
が含まれているデータ構造が記録される記録媒体であって、
前記データ構造を取得した再生装置により、前記再生管理情報に含まれる前記表示状態に関する情報を基に、前記透明度に関する情報が、前記サブストリームの映像に透過処理を施すことを示している場合、前記大きさに関する情報に応じた大きさに調整された前記サブストリームの映像に対して、前記透明度に関する情報に応じた前記透過処理を施すとともに、前記透過処理を施すことにより得られた前記サブストリームの映像を、前記メインストリームの映像上の前記表示位置に関する情報に応じた位置に配置して、前記メインストリームの映像と、前記サブストリームの映像とを合成される処理に用いられる
記録媒体。
【請求項７】
再生装置において再生可能なデータが記録される記録媒体の製造方法であって、
少なくとも１つのストリームを含むメインストリームの再生を管理する情報である再生管理情報を含み、
前記再生管理情報に、
前記メインストリームの時間軸上の再生位置を示す主の再生位置情報と、
前記メインストリームとは異なるサブストリームの再生位置を示す副の再生位置情報と、
前記メインストリームの映像と合成される前記サブストリームの映像の表示位置、大きさ、および透明度に関する情報を含む表示状態に関する情報と
を含むデータ構造を有するデータを生成し、
生成された前記データを前記記録媒体に記録する
ステップを含む記録媒体の製造方法。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】削除
【補正の内容】